【手続補正書】
【提出日】平成26年12月23日(2014.12.23)
【手続補正１】
【補正対象書類名】特許請求の範囲
【補正対象項目名】全文
【補正方法】変更
【補正の内容】
【特許請求の範囲】
【請求項１】
利用者を撮影する撮影部と、
前記撮影部による撮影の結果、得られる撮影画像を表示する第１の領域と、２つ以上の複数の種類である画像処理を施す指示を出すための領域であり、かつ、少なくとも２つ以上の選択をさせるための領域であり、前記画像処理毎に複数のボタンを表示する第２の領域を含む画面を前記利用者に提示する提示部と、
前記第２の領域内のボタンが操作される毎に、指示された変更に係わる画像処理を前記撮影画像の前記指示された変更に対応する部分に施す変更処理部と、
前記変更処理部により変更が施された撮影画像に、前記第１の領域内の撮影画像を切り換える表示を制御する表示制御部と、
前記変更処理部により変更が施された前記撮影画像を、所定のシール紙に印刷し、印刷された前記シール紙の出力、または他の装置にデータとして出力のうちのどちらか一方の出力を少なくとも行う出力部と
を備え、
前記第２の領域は、前記撮影画像内の被写体の一部に対する色および形状の変更を含む複数の種類の変更を、前記撮影画像に施す指示を出すための領域であり、複数の変更の決定を指示する１個の決定ボタンを備える
遊戯用撮影装置。
【請求項２】
前記撮影部は、複数回の撮影により複数の撮影画像を取得し、
前記変更処理部は、前記決定ボタンにより決定された複数の変更を前記複数の撮影画像に対して施す
請求項１に記載の遊戯用撮影装置。
【請求項３】
前記第２の領域は、前記撮影画像内の前記被写体の一部に対して変更を施すためのボタンを表示するための領域である
請求項１または２に記載の遊戯用撮影装置。
【請求項４】
前記撮影部による撮影作業により得られた前記撮影画像に対して編集情報を入力する編集作業を行わせる編集部をさらに備え、
前記第１の領域に表示される前記撮影画像は、前記編集部による編集作業の対象とされる画像である
請求項１乃至３のいずれかに記載の遊戯用撮影装置。
【請求項５】
利用者を撮影する撮影部を備える遊戯用撮影装置の処理方法において、
前記撮影部による撮影の結果、得られる複数の撮影画像を表示する第１の領域と、２つ以上の複数の種類である画像処理を施す指示を出すための領域であり、かつ、少なくとも２つ以上の選択をさせるための領域であり、前記画像処理毎に複数のボタンを表示する第２の領域を含む画面を前記利用者に提示し、
前記第２の領域内のボタンが操作される毎に、指示された変更に係わる画像処理を前記複数の撮影画像の前記指示された変更に対応する部分に施し、
変更が施された撮影画像に、前記第１の領域内の撮影画像を切り換え、
変更が施された前記撮影画像を、所定のシール紙に印刷し、印刷された前記シール紙の出力、または他の装置にデータとして出力のうちのどちらか一方の出力を少なくとも行う  ステップを含み、
前記第２の領域は、前記撮影画像内の被写体の一部に対する色および形状の変更を含む複数の種類の変更を、前記撮影画像に施す指示を出すための領域であり、複数の変更の決定を指示する１個の決定ボタンを備える
遊戯用撮影装置の処理方法。
【請求項６】
利用者を撮影する撮影部を備える遊戯用撮影装置を制御するコンピュータに、
前記撮影部による撮影の結果、得られる複数の撮影画像を表示する第１の領域と、２つ以上の複数の種類である画像処理を施す指示を出すための領域であり、かつ、少なくとも２つ以上の選択をさせるための領域であり、前記画像処理毎に複数のボタンを表示する第２の領域を含む画面を前記利用者に提示し、
前記第２の領域内のボタンが操作される毎に、指示された変更に係わる画像処理を前記複数の撮影画像の前記指示された変更に対応する部分に施し、
変更が施された撮影画像に、前記第１の領域内の撮影画像を切り換え、
変更が施された前記撮影画像を、所定のシール紙に印刷し、印刷された前記シール紙の出力、または他の装置にデータとして出力のうちのどちらか一方の出力を少なくとも行う  ステップを含み、
前記第２の領域は、前記撮影画像内の被写体の一部に対する色および形状の変更を含む複数の種類の変更を、前記撮影画像に施す指示を出すための領域であり、複数の変更の決定を指示する１個の決定ボタンを備える
処理を実行させるためのコンピュータ読み取り可能なプログラム。
【手続補正２】
【補正対象書類名】明細書
【補正対象項目名】発明の名称
【補正方法】変更
【補正の内容】
【発明の名称】遊戯用撮影装置、遊戯用撮影方法およびプログラム
【手続補正３】
【補正対象書類名】明細書
【補正対象項目名】０００１
【補正方法】変更
【補正の内容】
【０００１】
本発明は、遊戯用撮影装置、遊戯用撮影装置の処理方法およびプログラムに関し、さらに詳しくは、利用者をカメラで撮影し、その撮影画像に基づき生成される合成画像を写真等として出力する遊戯用撮影装置、遊戯用撮影装置の処理方法およびプログラムに関する。
【手続補正４】
【補正対象書類名】明細書
【補正対象項目名】０００７
【補正方法】変更
【補正の内容】
【０００７】
そこで、本発明は、利用者が撮影画像に対する補正を直感的に素早く行うことができる遊戯用撮影装置、遊戯用撮影装置の処理方法及びコンピュータプログラムを提供することを目的とする。
【手続補正５】
【補正対象書類名】明細書
【補正対象項目名】０００８
【補正方法】変更
【補正の内容】
【０００８】
本発明の遊戯用撮影装置は、利用者を撮影する撮影部と、前記撮影部による撮影の結果、得られる撮影画像を表示する第１の領域と、２つ以上の複数の種類である画像処理を施す指示を出すための領域であり、かつ、少なくとも２つ以上の選択をさせるための領域であり、前記画像処理毎に複数のボタンを表示する第２の領域を含む画面を前記利用者に提示する提示部と、前記第２の領域内のボタンが操作される毎に、指示された変更に係わる画像処理を前記撮影画像の前記指示された変更に対応する部分に施す変更処理部と、前記変更処理部により変更が施された撮影画像に、前記第１の領域内の撮影画像を切り換える表示を制御する表示制御部と、前記変更処理部により変更が施された前記撮影画像を、所定のシール紙に印刷し、印刷された前記シール紙の出力、または他の装置にデータとして出力のうちのどちらか一方の出力を少なくとも行う出力部とを備え、前記第２の領域は、前記撮影画像内の被写体の一部に対する色および形状の変更を含む複数の種類の変更を、前記撮影画像に施す指示を出すための領域であり、複数の変更の決定を指示する１個の決定ボタンを備えることを特徴とする。
【手続補正６】
【補正対象書類名】明細書
【補正対象項目名】０００９
【補正方法】変更
【補正の内容】
【０００９】
本発明の遊戯用撮影装置において、前記撮影部は、複数回の撮影により複数の撮影画像を取得し、前記変更処理部は、前記決定ボタンにより決定された複数の変更を前記複数の撮影画像に対して施すことが好ましい。
本発明の遊戯用撮影装置において、前記第２の領域は、前記撮影画像内の前記被写体の一部に対して変更を施すためのボタンを表示するための領域であることが好ましい。
本発明の遊戯用撮影装置において、前記撮影部による撮影作業により得られた前記撮影画像に対して編集情報を入力する編集作業を行わせる編集部をさらに備え、前記第１の領域に表示される前記撮影画像は、前記編集部による編集作業の対象とされる画像であることが好ましい。
【手続補正７】
【補正対象書類名】明細書
【補正対象項目名】００１０
【補正方法】変更
【補正の内容】
【００１０】
本発明の遊戯用撮影装置によれば、提示部が、撮影部による撮影の結果、得られる撮影画像を表示する第１の領域と、２つ以上の複数の種類である画像処理を施す指示を出すための領域であり、かつ、少なくとも２つ以上の選択をさせるための領域であり、画像処理毎に複数のボタンを表示する第２の領域を含む画面を利用者に提示するので、その提示を受けた利用者は、補正用として撮影された自身の像を用いて、所望の補正処理の態様を選択することができる。従って、利用者は、撮影部において撮影された撮影画像に対する補正を直感的に（したがって素早く）行うことができる。
【手続補正８】
【補正対象書類名】明細書
【補正対象項目名】００１１
【補正方法】変更
【補正の内容】
【００１１】
本発明の遊戯用撮影装置の処理方法及びプログラムは、本発明の遊戯用撮影装置と実質同一の構成を有する。従って、当該方法及びプログラムは、本発明の遊戯用撮影装置と同様の作用効果を奏する。